(57)【要約】【課題】  チャイルドプルーフ機能を有するほか、外力が加わった際も、ＰＴＰシートや内容物の飛び出しを防ぐことのできるＰＴＰケースを提供すること。【解決手段】  帯状のＰＴＰシート５１を保持するＰＴＰケース１１は、ＰＴＰシート５１の裏面に接触する支持部２１と、ＰＴＰシート５１の表面に対向する抑止部２２と、ＰＴＰシート５１の横ずれを規制する案内部２５と、を有する構造で、支持部２１と抑止部２２と案内部２５により、ＰＴＰシート５１は長手方向にのみ移動可能になる。そしてＰＴＰシート５１の長手方向の移動を規制するため、突入片３１などの拘束手段を設けてあり、ＰＴＰシート５１は、拘束手段を乗り越えることで取り出し可能になる。ＰＴＰシート５１は、ＰＴＰケース１１と一体化するため、内容物５５の取り出しが不可能になり、チャイルドプルーフが実現するほか、ＰＴＰシート５１や内容物５５の飛び出しを防ぐことができる。【選択図】      図１
2020001738.tif 000002
【特許請求の範囲】
【請求項１】
帯状のＰＴＰシートを保持するＰＴＰケースであって、
ＰＴＰシートの裏面に接触する支持部と、ＰＴＰシートの表面に対向する抑止部と、ＰＴＰシートの横ずれを規制する案内部と、を有し、支持部と抑止部と案内部により、ＰＴＰシートは、その長手方向にのみ移動可能になり、
保持されたＰＴＰシートの長手方向の移動を規制するため、ＰＴＰシートに接触する拘束手段を設けてあり、ＰＴＰシートは拘束手段を乗り越えることで取り出し可能になることを特徴とするＰＴＰケース。
【請求項２】
ＰＴＰシートを背中合わせで二枚保持するため、抑止部は、支持部を挟み込むように両側に配置してあることを特徴とする請求項１記載のＰＴＰケース。
【請求項３】
拘束手段は、ＰＴＰシートの膨出部に接触可能な突入片であり、突入片が膨出部に接触することでＰＴＰシートの移動を規制し、
突入片で膨出部を押圧し、膨出部が突入片を乗り越えることで、ＰＴＰシートが取り出し可能になることを特徴とする請求項１または２記載のＰＴＰケース。
【請求項４】
拘束手段は、ＰＴＰシートの一端側と対向する可動片と、ＰＴＰシートの他端側と対向する固定片と、からなり、可動片と固定片との間で挟み込むことでＰＴＰシートの移動を規制し、
可動片をＰＴＰシートの裏面側に向けて押し込むことで、可動片全体がＰＴＰシートの裏面側に入り込み、ＰＴＰシートが取り出し可能になることを特徴とする請求項１または２記載のＰＴＰケース。
【請求項５】
ＰＴＰシートの長手方向の一端側には耳片を有し、耳片の根元をＶ字状に屈曲させてあり、
拘束手段は、耳片を有する側のＰＴＰシートの端部と対向する当接部と、Ｖ字状に屈曲した耳片の先端と対向する係止部と、からなり、係止部は、支持部からクサビ形に盛り上がるように形成してあり、係止部の崖面が耳片と対向し、当接部と崖面で耳片を挟み込むことでＰＴＰシートの移動を規制し、
耳片を崖面から引き離すことで、ＰＴＰシートが取り出し可能になることを特徴とする請求項１または２記載のＰＴＰケース。
【発明の詳細な説明】
【技術分野】
【０００１】
本発明は、薬剤包装などで用いるＰＴＰ（Ｐｒｅｓｓ  Ｔｈｒｏｕｇｈ  Ｐａｃｋａｇｅ）を保持するＰＴＰケースに関する。
【背景技術】
【０００２】
ＰＴＰは、合成樹脂板に膨出部を複数形成し、個々の膨出部に錠剤などの固形物を収容した後、合成樹脂板の裏面全体にアルミニウムフィルムなどを貼り付け、膨出部を塞いだ形態で、固形物を個別に密閉できるほか、密閉された固形物を視認できることが多く、厳密な管理が要求される薬剤などの包装で広く使用されている。ＰＴＰの流通段階では、複数の膨出部が規則的に並んだ帯状になっていることが多く、以降、これをＰＴＰシートと称するものとする。多くのＰＴＰシートは、膨出部を区画できるように分割線を刻んであり、使用の際は、これを破断し、膨出部が二個程度の小片に切り離すことができる。
【０００３】
ＰＴＰシートから切り出された小片は、その大きさから乳幼児が誤飲する恐れがあり、しかもその鋭利な角部で消化器官を傷つける恐れもある。またＰＴＰシートを単体で放置しておくと、乳幼児が内容物を取り出して誤飲し、思わぬ健康被害を招く恐れもある。そのためＰＴＰシートについても、何らかの「チャイルドプルーフ」を導入することが望ましく、その具体例として後記の特許文献が挙げられる。
【０００４】
特許文献１では、チャイルドロック機能を有するブリスタカードのパッケージが開示されている。このパッケージは、ブリスタカードと、ブリスタカードを差し入れ可能な外側パッケージと、からなり、外側パッケージには、その内部を斜めに横切る舌状のロッキング機構を組み込んであり、またブリスタカードの一端側には、内容物が収容されることのない干渉ブリスタを設けてある。
【０００５】
そして、外側パッケージにブリスタカードを差し込む際は、ブリスタカードによってロッキング機構が自然に押し上げられるため、ブリスタカードは無理なく内部に入り込み、その後、ロッキング機構が自らの弾性で復元すると、その先端が干渉ブリスタに接触する。この状態では、干渉ブリスタがロッキング機構を乗り越えることができず、ブリスタカードの離脱を防ぐ。しかし、指などでロッキング機構を押し上げると、ロッキング機構が干渉ブリスタから離脱し、ブリスタカードを取り出すことができる。
【０００６】
次の特許文献２では、ＰＴＰを始めとするブリスターの内容物が不用意に取り出されることを防ぐブリスター収容体が開示されている。このブリスター収容体は、正面パネルおよび背面パネルと称する二枚の板材を貼り合わせてあり、その間にブリスターを収容する構造で、正面パネルの中央には、ブリスターの凸状収容部を突出させるための窓部を設けてあり、また窓部の上方には、ブリスターを収容するため、左右一対の差込み口を形成してあり、さらに左右一対の差込み口の間には、係止片を形成してあり、収容されたブリスターは、係止片の下端面に当接することで移動が拘束される。その際、ブリスターの裏面は背面パネルで覆われており、内容物が取り出されることを防ぐほか、背面パネルの指通し孔から指などを差し込むことで係止片が移動し、ブリスターの取り出しが可能になる。
【先行技術文献】
【特許文献】
【０００７】
【特許文献１】特表２００７−５１７６１５号公報
【特許文献２】特開２０１６−３７３０６号公報
【発明の概要】
【発明が解決しようとする課題】
【０００８】
近年はＰＴＰシートを配布する際、チャイルドプルーフの観点から何らかのケースを併せて配布することがある。その場合、ケースのコストを需要者に転嫁することは難しいため、できるだけ低価格のものが望ましく、前記の特許文献２のように、紙などで製造可能な板状とすることが多い。しかし紙製のケースは容易に変形するため、足で踏み付けるなど、大きな外力が加わった際の耐久性に課題があり、内容物の飛び出しや、ＰＴＰシートの角部が身体に突き刺さるといったトラブルを招く恐れがある。
【０００９】
対して、合成樹脂や金属を素材としたケースは、立体的になることが多く、また強度や美観に優れ、踏み付けられた場合でも内容物が飛び出しにくく、需要者の信頼を得ることができる。したがって製造コストを削減できるならば、紙以外を素材とした立体的なケースを広く普及させることも可能である。
【００１０】
本発明はこうした実情を基に開発されたもので、チャイルドプルーフ機能を有するほか、外力が加わった際も、ＰＴＰシートや内容物の飛び出しを防ぐことのできるＰＴＰケースの提供を目的としている。
【課題を解決するための手段】
【００１１】
前記の課題を解決するための請求項１記載の発明は、帯状のＰＴＰシートを保持するＰＴＰケースであって、ＰＴＰシートの裏面に接触する支持部と、ＰＴＰシートの表面に対向する抑止部と、ＰＴＰシートの横ずれを規制する案内部と、を有し、支持部と抑止部と案内部により、ＰＴＰシートは、その長手方向にのみ移動可能になり、保持されたＰＴＰシートの長手方向の移動を規制するため、ＰＴＰシートに接触する拘束手段を設けてあり、ＰＴＰシートは拘束手段を乗り越えることで取り出し可能になることを特徴とするＰＴＰケースである。
【００１２】
本発明によるＰＴＰケースは、小片に切り離す前の帯状のＰＴＰシートを保持することを前提としており、保持されたＰＴＰシートの膨出部を指などで押圧しても、内容物の飛び出しを防止できるほか、保持された状態では、ＰＴＰシートを小片に切り離すこともできない。なおＰＴＰケースは、ＰＴＰシートの大きさや形状に対応させることを前提とするが、各部の形状を調整することで、ＰＴＰシートの大きさや形状の違いを吸収し、ある程度の汎用性を持たせることもできる。
【００１３】
支持部は、ＰＴＰシートの裏面を載せる平面状の部位で、ＰＴＰケースからＰＴＰシートが落下することを防ぐ。ただし支持部は、ＰＴＰシートの裏面全体と接触する切れ目のない面状とする必要はなく、ＰＴＰシートの膨出部の裏面に接触できればよく、格子状やハシゴ状としてもよい。このような支持部を有することで、膨出部を不用意に押圧した場合でも、内容物の飛び出しを防ぐ。
【００１４】
抑止部は、支持部とは逆にＰＴＰシートの表面に向かい合う部位で、ＰＴＰシートの浮き上がりを防ぐ。なお、ＰＴＰシートの表面には膨出部が存在しているが、抑止部がＰＴＰシートの移動を妨げないよう、抑止部と膨出部は、接触しないように配慮する必要がある。そのため抑止部は、ＰＴＰシートの側端部付近だけに覆い被さる小規模なツメ状とすることが多い。これとは別に、ＰＴＰシートの表面全体を覆う天板を設け、これを抑止部として機能させることもできる。
【００１５】
案内部は、ＰＴＰシートの横方向（ＰＴＰシートの長手方向に直交する方向）の移動を規制するための部位で、通常は、ＰＴＰシートの長手方向に沿って伸びる壁状になる。案内部の具体例としては、ＰＴＰシートの側端部を挟み込む二列の壁のほか、膨出部に接触する構造もあり得る。膨出部に接触する構造では、横幅が異なるＰＴＰシートにも無理なく対応でき、汎用性が向上する。
【００１６】
拘束手段は、ＰＴＰシートの長手方向の移動を規制するためのものだが、単に移動を規制するものではなく、人為的な操作を行うことでＰＴＰケースによる規制が解き放され、ＰＴＰシートが取り出しできる構造にする必要がある。なお本発明によるＰＴＰケースは、前記のように、支持部と抑止部と案内部を有しており、必然的にＰＴＰシートは、上下方向と横方向の移動が規制される。そのため、ＰＴＰシートを組み込む際や取り出す際は、ＰＴＰシートを長手方向に移動させる必要があり、ＰＴＰシートが完全に入り込んだ段階で拘束手段を機能させ、ＰＴＰシートの移動を規制し、ＰＴＰシートの脱落を防ぐ。しかし、何らかの人為的な操作を行うことで、拘束手段による規制が解き放され、ＰＴＰシートが取り出し可能になる。
【００１７】
このように、支持部と抑止部と案内部でＰＴＰシートの移動を規制するほか、拘束手段により、ＰＴＰシートの組み込みや取り出しができる構造とすることで、組み込まれたＰＴＰシートは、ＰＴＰケースと一体化し、内容物の取り出しが不可能になり、チャイルドプルーフが実現する。加えて、人為的な操作で拘束手段による規制を解き放つことで、無理なくＰＴＰシートを取り出すことができ、利便性も確保される。
【００１８】
請求項２記載の発明は、ＰＴＰケースの利便性を一段と向上するためのもので、ＰＴＰシートを背中合わせで二枚保持するため、抑止部は、支持部を挟み込むように両側に配置してあることを特徴とする。この発明によるＰＴＰケースは、背中合わせで二枚のＰＴＰシートを保持する機能を有し、必然的に支持部は、その表裏両面がＰＴＰシートの裏面に接触する。また抑止部は、支持部を挟み込むように両側に配置する。そして案内部は、二枚のＰＴＰシートの横ずれを規制する。そのほか拘束手段は、個々のＰＴＰシートに対して設けるものとする。
【００１９】
請求項３記載の発明は、拘束手段の具体例を示すもので、拘束手段は、ＰＴＰシートの膨出部に接触可能な突入片であり、突入片が膨出部に接触することでＰＴＰシートの移動を規制し、突入片で膨出部を押圧し、膨出部が突入片を乗り越えることで、ＰＴＰシートが取り出し可能になることを特徴とする。
【００２０】
突入片は、ＰＴＰシートの側端部付近から中心に向けて突出するもので、これがＰＴＰシートの膨出部に接触することで、ＰＴＰシートの移動を規制する。ただし突入片が膨出部に接触した後、さらに外力を加えると膨出部が変形し、膨出部が突入片を乗り越えられるよう、各部の形状を調整する。このような突入片を設けることで、ＰＴＰシートの移動を規制できるほか、ＰＴＰシートを強力に引き出すことで、取り出しも可能である。
【００２１】
請求項４記載の発明は、拘束手段の具体例を示すもので、拘束手段は、ＰＴＰシートの一端側と対向する可動片と、ＰＴＰシートの他端側と対向する固定片と、からなり、可動片と固定片との間で挟み込むことでＰＴＰシートの移動を規制し、可動片をＰＴＰシートの裏面側に向けて押し込むことで、可動片全体がＰＴＰシートの裏面側に入り込み、ＰＴＰシートが取り出し可能になることを特徴とする。
【００２２】
可動片と固定片は、ＰＴＰシートの長手方向の両端部を挟み込むための部位で、そのうち固定片は、単にＰＴＰシートの端部と対向する壁状のもので、ＰＴＰシートが固定片を乗り越えることはない。対して可動片は、人為的な操作で弾性変形できるよう、帯状などに形成し、ＰＴＰシートが組み込まれた際は、ＰＴＰシートの端部が可動片に接触することで、それ以上の移動を規制する。しかし可動片を指などで押し込み、その全体をＰＴＰシートの裏面側に移動させると、ＰＴＰシートは、可動片の表面を滑るような状態で移動可能になり、ＰＴＰシートを取り出すことができる。
【００２３】
請求項５記載の発明は、拘束手段の具体例を示すもので、ＰＴＰシートの長手方向の一端側には耳片を有し、耳片の根元をＶ字状に屈曲させてあり、拘束手段は、耳片を有する側のＰＴＰシートの端部と対向する当接部と、Ｖ字状に屈曲した耳片の先端と対向する係止部と、からなり、係止部は、支持部からクサビ形に盛り上がるように形成してあり、係止部の崖面が耳片と対向し、当接部と崖面で耳片を挟み込むことでＰＴＰシートの移動を規制し、耳片を崖面から引き離すことで、ＰＴＰシートが取り出し可能になることを特徴とする。なお耳片とは、ＰＴＰシートの一端側に付加される細長い平面状の部位で、内容物が収容されることはない。
【００２４】
請求項５では、ＰＴＰシートの構成を限定しており、ＰＴＰシートの一端側には耳片を有し、しかもＰＴＰケースに組み込むのに先立ち、耳片をＶ字状（概ね１８０度）に屈曲させることを前提としている。そしてＰＴＰケースには、ＰＴＰシートの移動を規制する当接部と係止部を設ける。そのうち当接部は、ＰＴＰシートの一端側（耳片のある方）に対向する壁状のもので、ＰＴＰシートがこれより先に移動することはできない。また係止部は、屈曲させた耳片の先端と対向し、ＰＴＰシートの移動を規制する。このように、当接部と係止部で耳片の先端と根元を挟み込むことで、両方向の移動が規制される。
【００２５】
係止部は、支持部の表面から突出するクサビ形で、係止部において、当接部と向かい合う位置には崖面を有する。崖面は、支持部の表面との交角が大きく、耳片と崖面が対向することでＰＴＰシートの移動を規制する。したがってＰＴＰシートを指などで押し上げ、耳片を係止部よりも上方に移動させると、耳片は係止部で拘束されることなく移動可能になり、ＰＴＰシートが取り出し可能になる。なおＰＴＰシートを組み込む際は、耳片が係止部の斜面を滑るように移動し、やがて耳片の先端が崖面と対向する。
【発明の効果】
【００２６】
請求項１記載の発明のように、ＰＴＰケースに設けた支持部と抑止部と案内部でＰＴＰシートの移動を規制するほか、拘束手段により、ＰＴＰシートの組み込みや取り出しができる構造とすることで、組み込まれたＰＴＰシートは、ＰＴＰケースと一体化し、内容物の取り出しが不可能になり、チャイルドプルーフが実現する。
【００２７】
しかも本発明では、ＰＴＰシートを踏み付けるなど、大きな外力が加わった際も、これを支持部が受け止めるため、内容物が飛び出すことがない。また、支持部や案内部などがＰＴＰシートを取り囲むため、ＰＴＰシートが身体に突き刺さることも防ぐ。そのほか、人為的な操作で拘束手段による規制を解き放つことで、無理なくＰＴＰシートを取り出すことができ、利便性も確保される。
【００２８】
請求項２記載の発明のように、抑止部は、支持部を挟み込むように両側に配置することで、二枚のＰＴＰシートを背中合わせで保持できる。そのため、二種類の薬剤を服用するといった状況での利便性が向上する。また、通常よりも二倍のＰＴＰシートを保持できるため、その管理や取り扱いも容易になる。
【００２９】
請求項３記載の発明のように、ＰＴＰシートの移動を規制する拘束手段は、ＰＴＰシートの膨出部に接触可能な突入片とすることで、ＰＴＰケースは、ＰＴＰシートの端部を規制する必要がなく、ＰＴＰシートの長さに対する制約が緩和される。そのため、短いＰＴＰシートも無理なく保持でき、汎用性が高まり、製造コストの削減が期待できる。そのほか、隣接する膨出部の間に突入片が嵌まり込んでいれば、ＰＴＰケースからＰＴＰシートの一部が飛び出した状態を維持することも可能で、ＰＴＰシートをＰＴＰケースから離脱させることなく、内容物を取り出すことができる。
【００３０】
請求項４記載の発明のように、ＰＴＰシートの移動を規制する拘束手段は、ＰＴＰシートの一端側と対向する可動片と、ＰＴＰシートの他端側と対向する固定片と、で構成することで、必然的にＰＴＰケースは、ＰＴＰシートの全周を取り囲む形状になる。そのため、ＰＴＰケースを不用意に踏み付けたといった場合でも、ＰＴＰシートの角部が身体に突き刺さるといったトラブルを招くことがない。
【００３１】
請求項５記載の発明のように、ＰＴＰシートの移動を規制する拘束手段は、ＰＴＰシートの端部と対向する当接部と、Ｖ字状に屈曲させた耳片の先端と対向する係止部と、で構成することで、ＰＴＰシートの一端側だけを利用して、その移動を規制することができる。そのため内容物の消費が進み、ＰＴＰシートが短くなった場合でも支障なく保持可能で、内容物が完全になくなるまでの間、一貫してＰＴＰケースとしての機能を維持でき、様々なトラブルを回避することができる。またこの発明では、耳片を有するならば、ＰＴＰシートの形状に対する制約が緩和され、汎用性が高まり、製造コストの削減を期待できる。
【図面の簡単な説明】
【００３２】
【図１】本発明によるＰＴＰケースの形状例を示す斜視図で、ここでは拘束手段として突入片を用いている。
【図２】本発明によるＰＴＰケースの形状例を示す斜視図で、ここでは拘束手段として可動片と固定片を用いている。
【図３】図２のＰＴＰケースからＰＴＰシートを取り出す方法を示す斜視図である。
【図４】本発明によるＰＴＰケースの形状例を示す斜視図で、ここでは拘束手段として当接部と係止部を用いている。
【図５】図４のＰＴＰケースからＰＴＰシートを取り出す方法を示す斜視図である。
【図６】拘束手段として可動片と固定片を用いたＰＴＰケースの形状例を示す斜視図で、背中合わせで二枚のＰＴＰシートを保持できる構造になっている。
【図７】拘束手段として当接部と係止部を用いたＰＴＰケースの形状例を示す斜視図で、ここでは抑止部として天板を用いており、また案内部として中貫板を用いている。
【発明を実施するための形態】
【００３３】
図１は、本発明によるＰＴＰケース１１の形状例を示し、ここでは拘束手段として突入片３１を用いている。この図のＰＴＰシート５１は、横方向に二個の膨出部５４が並び、これが四列連なった帯状となっており、計八個の膨出部５４のそれぞれに内容物５５が密閉され、さらに一端側には、膨出部５４のない耳片５２が付加されている。なおＰＴＰシート５１には、横方向に伸びる分割線５３を等間隔で刻んであり、膨出部５４を二個単位で切り離すことができる。
【００３４】
ＰＴＰケース１１は、ＰＴＰシート５１の全体を収容可能な大きさで、そのうち支持部２１は、ＰＴＰシート５１の裏面を載せるための平面状の部位で、不用意に膨出部５４を押し込んだ場合でも、その荷重を支持部２１が受け止め、内容物５５の飛び出しを防ぐ。なお支持部２１は、単純な面状ではなく、隙間のある格子状としてあり、素材の使用量を削減している。ただし内容物５５の飛び出しを防ぐため、膨出部５４の裏側には、必ず支持部２１を配置してある。
【００３５】
支持部２１の左右両側には、壁状の案内部２５を設けてあり、これでＰＴＰシート５１の横方向の移動を規制する。また案内部２５の一端（図の左下側）には、ＰＴＰシート５１の飛び出しを防ぐ端板４４を設けてあり、案内部２５と端板４４でＰＴＰシート５１の外縁三方を取り囲む。さらに案内部２５の内面上端には、内方に突出する抑止部２２を設けてある。抑止部２２は、支持部２１に載ったＰＴＰシート５１の浮き上がりを防ぐが、膨出部５４と接触しないよう、その大きさを調整してある。なお抑止部２２は、ＰＴＰシート５１の浮き上がりを確実に防ぐため、ＰＴＰシート５１の長手方向に沿って複数箇所に配置してある。
【００３６】
突入片３１は、ＰＴＰシート５１の移動を規制する拘束手段であり、抑止部２２と同様、案内部２５の内面上端から突出しているが、抑止部２２とは異なり、膨出部５４に接触可能な大きさとしてある。その結果、ＰＴＰシート５１を組み込むと、隣接する二箇所の膨出部５４の間に突入片３１が入り込み、突入片３１が膨出部５４と接触することで、ＰＴＰシート５１の移動が規制される。ただし膨出部５４を突入片３１で押圧することで、膨出部５４が弾性変形し、膨出部５４が突入片３１を乗り越え、ＰＴＰシート５１が移動できるようになる。なおこの図では、バランスを考慮し、突入片３１を左右対称に配置してあるが、対称ではなく、左右で段差（ＰＴＰシート５１の長手方向での食い違い）があっても構わない。また、案内部２５でＰＴＰシート５１を緩みなく保持できるならば、突入片３１を片側だけに配置することもできる。
【００３７】
ＰＴＰケース１１の全周のうち、図の右上側はＰＴＰシート５１の出入口となり、この箇所については、案内部２５や端板４４のような壁が配置されることなく開放しており、その中央には、支持部２１を半円状に切り抜いた窓４３を形成してある。そしてＰＴＰシート５１を組み込む際は、その一端を支持部２１と抑止部２２との間に差し込み、膨出部５４が突入片３１と接触した際は、ＰＴＰシート５１を強力に押し込むことで、最終的には図１の左下に描くように、ＰＴＰシート５１の全体を収容することができる。その後、窓４３を利用してＰＴＰシート５１の耳片５２をつまみ、ＰＴＰシート５１を引き出すと、膨出部５４が突入片３１を乗り越え、図１の右下に描くように、ＰＴＰシート５１の一端側がＰＴＰケース１１から突出する。
【００３８】
図２は、本発明によるＰＴＰケース１２の形状例を示し、ここでは拘束手段として可動片３３と固定片３４を用いている。この図のＰＴＰケース１２は、支持部２１の左右両側に壁状の案内部２５を配置してあり、案内部２５の一端（図の左下側）を固定片３４で塞いである。また固定片３４の反対側（図の右上側）には、左右の案内部２５を結ぶように帯状の接続板４２を配置してあり、その中央には内方に向けて突出する帯状の可動片３３を設けてある。可動片３３は、先端に向かうに連れて上方に湾曲しており、その裏面がＰＴＰシート５１に接触することで、ＰＴＰシート５１の移動を規制する。なお可動片３３の反対側には、外部に向けて突出するツマミ４６を設けてある。ツマミ４６を指などで持ち上げると、接続板４２が支点になって可動片３３が下降する。そのほか接続板４２は、ＰＴＰシート５１の移動を妨げないよう、支持部２１と高さを揃えてある。
【００３９】
このＰＴＰケース１２にＰＴＰシート５１を組み込む際は、可動片３３の方からＰＴＰシート５１を差し込んでいくことも可能だが、通常は図のように、固定片３４の方（図の左側）からＰＴＰシート５１を差し込んでいく。その際は、図の中程に描くように、ＰＴＰシート５１の先端を支持部２１と抑止部２２との間に入り込ませ、全体を図の右側に移動させていく。そして、ＰＴＰシート５１の先端が可動片３３の近傍に到達すると、ＰＴＰシート５１の後端が固定片３４の内側に入り込み、ＰＴＰシート５１は、可動片３３と固定片３４で挟み込まれる。その結果、ＰＴＰシート５１の移動が規制され、ＰＴＰケース１２で保持される。
【００４０】
図３は、図２のＰＴＰケース１２からＰＴＰシート５１を取り出す方法を示す。ＰＴＰシート５１の一端部（図の右上側）は、可動片３３の裏面と対向しているため、ＰＴＰシート５１は、可動片３３を乗り越えて移動することができず、ＰＴＰケース１２から離脱できない。しかし図の中程に描くように、ツマミ４６を指で挟んで持ち上げると、接続板４２との兼ね合いで可動片３３の全体がＰＴＰシート５１の裏面側に入り込み、ＰＴＰシート５１が移動可能になる。そしてＰＴＰシート５１を移動させ、その端部が可動片３３を覆い隠した段階で指を開放すると、図の下方に描くように、ＰＴＰシート５１を取り出し可能になる。
【００４１】
図４は、本発明によるＰＴＰケース１４の形状例を示し、ここでは拘束手段として当接部３７と係止部３６を用いているほか、ＰＴＰシート５１は、その耳片５２をＶ字状に屈曲させることを前提としている。そして屈曲させた耳片５２の根元は、当接部３７と対向させ、対して耳片５２の先端は、係止部３６と対向させ、耳片５２を当接部３７と係止部３６で挟み込むことで、ＰＴＰシート５１の移動を規制する。なお当接部３７は、ＰＴＰケース１４の端部に位置する壁状の部位だが、その近傍に半円状の窓４３を形成してあるため、左右に分断されている。さらに当接部３７の上方には、ＰＴＰシート５１の浮き上がりを防ぐため、平面状の抑止部２３を設けてある。
【００４２】
係止部３６は、支持部２１の表面から隆起するように形成され、これを横から見るとクサビ形で、そのうち、支持部２１から切り立つように展開する崖面３８は、当接部３７と対向するように配置する。対して、崖面３８に隣接する斜面３９は、支持部２１との交角が小さく、ＰＴＰシート５１の入口側に面している。そしてＰＴＰシート５１が組み込まれた際は、その耳片５２が当接部３７と崖面３８に挟み込まれる。
【００４３】
実際にＰＴＰシート５１を組み込む際は、まず耳片５２の根元を屈曲させるが、耳片５２の根元には弾性が残るため、耳片５２は、ＰＴＰシート５１の裏面と密着することはなく、Ｖ字状の角部が形成される。この状態において、耳片５２のある方を先頭にしてＰＴＰシート５１をＰＴＰケース１４に接近させ、支持部２１と抑止部２２との間にＰＴＰシート５１を差し込んでいくと、やがて耳片５２が係止部３６の斜面３９に乗り上げ、最後には耳片５２の先端が斜面３９から落下し、崖面３８と対向する。その際、ＰＴＰシート５１の先端は、当接部３７と対向するため、必然的に耳片５２は当接部３７と崖面３８で挟み込まれ、ＰＴＰシート５１の移動が規制される。
【００４４】
図５は、図４のＰＴＰケース１４からＰＴＰシート５１を取り出す方法を示す。ＰＴＰシート５１の耳片５２は、当接部３７と崖面３８で挟み込まれ、ＰＴＰシート５１の移動が規制されているが、この状態でＰＴＰケース１４の下方から窓４３に向けて指を差し入れ、耳片５２の中央付近を持ち上げると係止部３６から離脱し、ＰＴＰシート５１が移動可能になる。そこでＰＴＰシート５１を図の左側に押し出すと、無理なくＰＴＰシート５１を取り出すことができる。
【００４５】
図６は、拘束手段として可動片３３と固定片３４を用いたＰＴＰケース１３の形状例を示し、背中合わせで二枚のＰＴＰシート５１を保持できる構造になっている。このＰＴＰケース１３は、案内部２５が上下方向に延長され、その中央付近に支持部２１を配置してあり、支持部２１を上下から挟みように抑止部２２を設けてある。したがって、支持部２１の上下両側にＰＴＰシート５１を差し込むことができる。なお抑止部２２は、金型での製造を考慮し、上下で重ならないよう、位置を変えてある。
【００４６】
ＰＴＰシート５１を背中合わせで二枚保持することに伴い、可動片３３も二箇所に配置してある。この二箇所の可動片３３は、接続板４２を共有しているが、その傾きを反転させてあり、一方は先端に向かうに連れて持ち上がっていくが、他方は沈み込んでいき、個々の可動片３３が一枚のＰＴＰシート５１の移動を規制する。したがって、二枚のＰＴＰシート５１が保持された後、一枚だけを取り出すことができる。
【００４７】
図７は、拘束手段として当接部３７と係止部３６を用いたＰＴＰケース１５の形状例を示し、ここでは抑止部２４として天板を用いており、また案内部２６として中貫板を用いている。この抑止部２４は、ＰＴＰシート５１の表面と対向する板状で、ＰＴＰシート５１の膨出部５４を完全に覆い隠すことができる広さを有し、安全性に優れている。そのほかＰＴＰケース１５の内部には、係止部３６を形成してあり、当接部３７と係止部３６で耳片５２を挟み込むことで、ＰＴＰシート５１の移動を規制することができる。
【００４８】
図７の案内部２６は、抑止部２４の中央から垂れ下がるように形成された中貫板で、ＰＴＰシート５１の長手方向に沿って伸び、これが左右に並ぶ膨出部５４の間に入り込むことで、ＰＴＰシート５１の横方向の移動を規制する。このように、案内部２６として中貫板を用いることで、ＰＴＰケース１５の両側面を構成する側壁４１は、ＰＴＰシート５１に接近させる必要がなく、横幅の狭いＰＴＰシート５１も無理なく保持できる。そのほか、ＰＴＰシート５１を容易に取り出せるよう、支持部２１の中央付近には、ＰＴＰシート５１の裏面を部分的に露出させる取り出し口４５を設けてある。
【００４９】
本発明は、これまでの各図に描いた形態に限定される訳ではなく、支持部や抑止部や案内部や拘束手段などの各構成要素は、実現可能な範囲で自在に組み合わせることができ、需要者の要望に応じた最適なＰＴＰケースを提供することができる。
【符号の説明】
【００５０】
１１  ＰＴＰケース（拘束手段が突入片）
１２  ＰＴＰケース（拘束手段が可動片と固定片）
１３  ＰＴＰケース（拘束手段が可動片と固定片・ＰＴＰシートを二枚保持）
１４  ＰＴＰケース（拘束手段が係止部と当接部）
１５  ＰＴＰケース（拘束手段が係止部と当接部・天板あり）
２１  支持部
２２  抑止部（案内部から突出）
２３  抑止部（当接部に隣接）
２４  抑止部（天板）
２５  案内部（ＰＴＰシートの側端部を挟み込む）
２６  案内部（中貫板）
３１  突入片（拘束手段）
３３  可動片（拘束手段）
３４  固定片（拘束手段）
３６  係止部（拘束手段）
３７  当接部（拘束手段）
３８  崖面
３９  斜面
４１  側壁
４２  接続板
４３  窓
４４  端板
４５  取り出し口
４６  ツマミ
５１  ＰＴＰシート
５２  耳片
５３  分割線
５４  膨出部
５５  内容物
【図１】
2020001738.tif 000003
【図２】
2020001738.tif 000004
【図３】
2020001738.tif 000005
【図４】
2020001738.tif 000006
【図５】
2020001738.tif 000007
【図６】
2020001738.tif 000008
【図７】
2020001738.tif 000009